(57)【要約】【課題】周囲が暗く視界の見え難いときでも歩行中に発光体が点灯または点滅することにより、自動車のドライバーが簡単に気付いて児童を視認し易く、児童を交通事故から守るに相応しいランドセルを提供する。【解決手段】  発光体４と振動スイッチ５と該振動スイッチ５の信号を受けて該発光体４を点灯または点滅させる制御回路部６と電池７とをそれぞれケース部材３に収納して発光ユニット１を形成し、前記ケース部材３に光が透過する透光性領域ａを形成すると共に該透光性領域ａと対向して前記発光体４を配置し、前記発光ユニット１は適宜固定手段１８ａ，１８ｂにより着脱自在に取着されている。【選択図】図３
2013042897.tif 000002
【特許請求の範囲】
【請求項１】
発光体と振動スイッチと該振動スイッチの信号を受けて該発光体を点灯または点滅させる制御回路部と電池とをそれぞれケース部材に収納して発光ユニットを形成し、
前記ケース部材に光が透過する透光性領域を形成すると共に該透光性領域と対向して前記発光体を配置し、前記発光ユニットは適宜固定手段により着脱自在に取着されていることを特徴とするランドセル。
【請求項２】
背板部と両側の襠板部と底板部と前側板部とにより上面が開口する箱状をなし、背板部の上端部から前側板部を覆う蓋板部を延設してランドセルを形成し、
前記発光ユニットの透光性領域が前記蓋板部に開設された透孔に合致するようにして前記発光ユニットが該蓋板部の内面に取着されるようにした請求項１記載のランドセル。
【請求項３】
背板部と両側の襠板部と底板部と前側板部とにより上面が開口する箱状をなし、背板部の上端部から前側板部を覆う蓋板部を延設すると共に該蓋板部の先端部に鋲により留めバンドを固着し、留めバンドの先端に底板部に係脱自在に掛け止めする掛止具を設けてランドセルを形成し、
前記発光ユニットから外側へ引き出される配線の先端に発光体を設け、前記鋲の中心軸に沿ってその発光体が嵌脱自在に挿通される通孔を設けると共に該鋲の頭部には該通孔と連通しその発光体の光を放射するための放射口を設けるようにした請求項２記載のランドセル。
【発明の詳細な説明】
【技術分野】
【０００１】
本発明は、点灯または点滅する発光体を設けることにより、周囲が暗くしかも離れていても自動車のドライバーがその光を容易に視認して児童の存在を知ることができるようにしたランドセルに関するものである。
【背景技術】
【０００２】
近時、自動車の増加に伴い児童の交通事故が増えている。特に、自動車のドライバーにとって周囲が暗く視界の見え難い夕暮れ時や夜間の事故が多く発生している。そこで、ドライバーが児童の存在を知ることができるように、例えば自動車の前照燈の光が当たったときに反射する光反射テープや光反射板を貼着したランドセルがある（例えば、特許文献１乃至３参照。）。
【先行技術文献】
【特許文献】
【０００３】
【特許文献１】実開昭６３−１１０２１８号公報（第１頁、図１）
【特許文献２】実開平５−９３２４１号公報（第３−４頁、図１）
【特許文献３】特開平７−２６５１１４号公報（第２−４頁、図１）
【発明の概要】
【発明が解決しようとする課題】
【０００４】
前記光反射テープや光反射板は当たった光を反射させるものであるが、児童がランドセルを背負って歩行しているときはそのランドセルの姿勢や向きがよく変わり、これに伴い光反射テープや光反射板の向きも変わることから、自動車の前照燈の光が常にそのままドライバーの視線の方向へ戻ってくるとは限らない。また、雨が降って天気が悪くしかも対向車の照明が眩しいときなどの悪条件下では、自動車のドライバーが常に光反射テープや光反射板により反射された光を容易に視認し児童の存在を知ることができるとは言い難い。これでは、ドライバーに対して注意を促すに十分な効果が上がらず、児童を交通事故から守るに相応しくないという課題が有る。
【０００５】
そこで、本発明は上記課題を解決すべくなされたもので、周囲が暗く視界の見え難いときでも歩行中に発光体が点灯または点滅することにより、自動車のドライバーが簡単に気付いて児童を視認し易く、児童を交通事故から守るに相応しいランドセルを提供することを目的とするものである。
【課題を解決するための手段】
【０００６】
かかる目的を達成するため本発明に係るランドセルは、発光体と振動スイッチと該振動スイッチの信号を受けて該発光体を点灯または点滅させる制御回路部と電池とをそれぞれケース部材に収納して発光ユニットを形成し、前記ケース部材に光が透過する透光性領域を形成すると共に該透光性領域と対向して前記発光体を配置し、前記発光ユニットは適宜固定手段により着脱自在に取着されていることを特徴とする。
【０００７】
この際、背板部と両側の襠板部と底板部と前側板部とにより上面が開口する箱状をなし、背板部の上端部から前側板部を覆う蓋板部を延設してランドセルを形成し、
前記発光ユニットの透光性領域が前記蓋板部に開設された透孔に合致するようにして前記発光ユニットが該蓋板部の内面に取着されるようにすることが好ましい。
【０００８】
また、この際、背板部と両側の襠板部と底板部と前側板部とにより上面が開口する箱状をなし、背板部の上端部から前側板部を覆う蓋板部を延設すると共に該蓋板部の先端部に鋲により留めバンドを固着し、留めバンドの先端に底板部に係脱自在に掛け止めする掛止具を設けてランドセルを形成し、前記発光ユニットから外側へ引き出される配線の先端に発光体を設け、前記鋲の中心軸に沿ってその発光体が嵌脱自在に挿通される通孔を設けると共に該鋲の頭部には該通孔と連通しその発光体の光を放射するための放射口を設けるようにすることが好ましい。
【発明の効果】
【０００９】
本発明に係るランドセルは、振動によって振動スイッチが作動することにより発光体が点灯または点滅し、しかも、該発光体の光は外部から視認できることから、周囲の暗い夕暮れ時や夜間でも自動車のドライバーはその点灯または点滅する光に簡単に気付き児童を視認し易い。これにより、ドライバーに注意を促すことが簡単になり、児童を交通事故から守るに相応しいという効果を奏する。また、発光体と振動スイッチと該振動スイッチの信号を受けて該発光体を点灯または点滅させる制御回路部と電池とをそれぞれ収納して発光ユニットを形成し、ケース部材に光が透過する透光性領域を形成すると共に該透光性領域と対向して発光体を配置し、発光ユニットが適宜固定手段により着脱自在に取着されるようにすれば、例えば、発光体や振動スイッチなどの電子部品が破損した場合はランドセルから発光ユニットを取り外すことによりその交換が簡単に行なえる。また、この場合、ケース部材を開閉自在に設けると共に電池も交換可能に設けるようにしておけば、電子部品や電池のみの交換も可能となり、ランドセルごと新しいものと交換する必要性がないことから経済的である。発光ユニットを取着する部位として蓋板部の内面が好適であり、取り付け易いと共に邪魔になりにくく、発光体の光も外部から見易い。
【００１０】
更に、前記発光ユニットから外側へ引き出される配線の先端に発光体を設け、蓋板部の先端部と留めバンドとを固着する鋲の中心軸に沿ってその発光体が嵌脱自在に挿通される通孔を設けると共に該鋲の頭部には該通孔と連通しその発光体の光を放射するための放射口を設けるようにすれば、次のような効果を奏する。すなわち、鋲を用いたこの種のランドセルの外観上のデザインの向上を図るに、その鋲は留めバンドを蓋板部に固着するに必要な部品であってデザイン上避けて通れない。そこで、鋲の中空部に嵌った発光体を点灯または点滅させることにより、該鋲が新たにデザイン化された部品として機能し、本来固着手段としてのみ機能していた部品の有効利用が図られるという効果を奏する。
【図面の簡単な説明】
【００１１】
【図１】本発明に係るランドセルの斜視図。
【図２】同蓋板部部位の裏面斜視図。
【図３】同蓋板部部位の分解斜視図。
【図４】図２のＸ−Ｘ線拡大断面図。
【図５】（イ）は回路基板の表側の斜視図、（ロ）は同裏側の斜視図。
【図６】ケース部材の分解斜視図。
【図７】図３のＹ−Ｙ線拡大断面図。
【図８】（イ）（ロ）は隆起部の形状の異なる発光ユニットを取着したランドセルの斜視図。
【図９】（イ）（ロ）は発光ユニットの別の固定手段を示す蓋板部部位の分解斜視図。
【図１０】他の実施の形態に係る発光ユニットを使用したランドセルの斜視図。
【図１１】同蓋板部部位の裏面斜視図。
【図１２】同蓋板部部位の分解斜視図。
【図１３】他の実施の形態に係る発光ユニットの分解斜視図。
【図１４】図１１のＺ−Ｚ線拡大断面図。
【発明を実施するための形態】
【００１２】
以下、本発明に係るランドセルの最良の実施の形態を、図面に基づき詳しく説明する。
まず、ランドセルについて説明すると、該ランドセルＡは皮革、合成皮革といった素材により形成され、図１に示すようにランドセル本体４０を有する。該ランドセル本体４０は、児童の背中に対向して接触する背板部４２と、その左右側に配置される襠板部４３，４３と、底板部４４及び前側板部４５とにより上面が開口４１する箱状をなす。ランドセル本体４０の内部には、教科書やノート等の学用品を収納する主収納部４６が形成されている。また、背板部４２の上端部から前側板部を覆い前記開口４１を開閉する蓋板部４７が延設され、該蓋板部４７の先端部に留めバンド４８を介して掛止具４９が設けられている。該掛止具４９は、前記底板部４４の外面に固着された鉤装置（図示せず。）に係脱自在に掛け止めするようになっている。
【００１３】
前記留めバンド４８は基端側が二股状に分かれており、互いのバンド支片４８ａ，４８ａの基端部が蓋板部４７の先端部の内側に重ねられ、これらバンド支片４８ａ，４８ａと蓋板部４７とをそれぞれ鋲５１により一体に固着している。また、前記背板部４２の外面の中央上端部に一対の肩掛けバンド５２，５２の基端部が取着され、該一対の肩掛けバンド５２，５２の先端部は前記底板部４４における外面の左右両側の所定位置に取着されている。前記前側板部４５の外側には薄いものを収容する副収納部５３が設けられ、また、その副収納部５３の外側に小物を収納する小物収納部５４が設けられている。該小物収納部５４は、スライドファスナー５５によって自在に開閉できるようになっている。更に、前記左右の襠板部４３，４３と副収納部５３の外周面に、背板部４２から延設される締付ベルト５６が巻回されている。これは、主収納部４６または副収納部５３が学用品の入れすぎにより必要もなく外側へ膨らみ型崩れするのを防止するためのものである。
【００１４】
本発明にあっては、図２乃至図４に示すように前記蓋板部４７における先端部の内面中央に、後記する振動スイッチ５が作動して発光体であるＬＥＤ４が点灯または点滅し、かつ、その光が容易に視認できるようにした発光ユニット１が取着されている。該発光ユニット１は、回路基板２と該回路基板２が収納されるケース部材３とからなる。図５（イ）に示すように回路基板２の表面の所定位置に、発光体であるＬＥＤ４がＶ字の輪郭上に位置するようにして複数個配置されている。また、図５（ロ）に示すように回路基板２の裏面には、その一側に寄せて配置され振動によって作動する振動スイッチ５と、該振動スイッチ５の信号を受けて各ＬＥＤ４を点灯または点滅させる制御回路部６と、電池７とが集約して設けられている。
【００１５】
図示は省略するが振動スイッチ５は、例えば固定側の接点と弾性部材により支持される可動側の接点とを有し、振動を受けることにより前記可動側の接点が揺れて固定側の接点に瞬間的に接触し、これにより両接点が電気的に通電するようになっている。両接点が接触して通電すると、制御回路部６により各ＬＥＤ４を一定時間の間点灯または点滅させる。そこで、児童がランドセルＡを背負って歩いたり走ったりするとき、振動スイッチ５内の両接点が瞬間的に接触して通電し、各ＬＥＤ４が一定時間の間点灯または点滅する。この動作は、前記振動スイッチ５内の両接点が接触する度に繰り返される。また図示は省略するが、前記制御回路部６には例えば光センサが組み込まれ、昼間といった周囲が明るいときは前記光センサが感応して、振動スイッチ５が作動しても各ＬＥＤ４が点灯または点滅しないように制御されている。
【００１６】
前記電池７としては例えば、リチウム電池、アルカリ電池、酸化銀電池などの種々の電池が使用される。また、電池７は交換自在に取着される。すなわち、電池７の接地位置には該設置位置から所定の距離を離して略平行に通電板２ａが配置される。該通電板２ａは弾性の強い薄い鋼板からなり略円形状に形成され、設置位置と通電板２ａとの間に電池７を挟んで固定できるようになっている。消耗した電池２ａを新しいものと交換する場合は、前記通電板２ａをその弾性に抗して引き起こし、消耗した電池７を取り外すと共に新しい電池７を取り付け再び該電池７を設置位置と通電板２ａとの間で挟んで固定する。
【００１７】
ケース部材３は図６に示すように、扁平方形状かつ中空状に形成され、回路基板２が固定されその前面を覆うカバー８と該カバー８の開放される裏面を塞ぐ裏蓋９とからなる。前記カバー８と裏蓋９とは全体に半透明な硬質合成樹脂材により成形され、カバー８の前面８ａには、前記複数のＬＥＤ４の配置位置に対応して前側へ突出する所定形状の隆起部１０が設けられており、その内側は同形状に沿って窪んでいる。本発明では、この隆起部１０は例えばＶ字型をなす。そして、この隆起部１０は各ＬＥＤ４の光が透過できるように透光性領域ａとしており、この場合はカバー８全体が半透明であるから、透光性領域ａとしての隆起部１０も同様に半透明となり、該隆起部１０を通して各ＬＥＤ４の光が外部から視認できるようになっている。しかも、図示は省略するが該隆起部１０の内側窪面１１には、各ＬＥＤ４から放射される光を拡散してより視認し易くなるように細かい凹凸面を形成するようにしても良い。回路基板２の周囲にボス挿通孔１２が開設され、カバー８の内側面に各ボス挿通孔１２に対応して突起１３が設けられると共にその先端に段部１３ａを介してボス１４が設けられている。また、裏蓋９の周囲四隅部に取付用孔１５が開設され、カバー８における周縁リブ８ｂの後端面に各取付用孔１５に対応位置し該各取付用孔１５と連通するビス孔１６が設けられている。
【００１８】
そこで、カバー８により表面が覆われるようにして該カバー８内に回路基板２を配置し、各ボス挿通孔１２に各ボス１４を嵌める。この状態で、カバー８の裏面に回路基板２の裏面を覆うようにして裏蓋９を被せ、各取付用孔１５を介して各ビス孔１６にビス１７を螺締する。このようにして、図７に示すように発光ユニット１が組み立てられる。裏蓋９を被せた状態では、その周縁リブ９ａの前端面が回路基板２の周縁部に当接し、カバー８における各突起１３の段部１３ａと裏蓋９における周縁リブ９ａとにより回路基板２がしっかりと挟着固定されるようになっている。また、カバー８の前面８ａであって隆起部１０を除いた部位に、固定手段として複数の雄型の貼り合わせファスナー１８ａが設けられている。これに対し、ランドセルＡの蓋板部４７には前記隆起部１０が嵌るＶ字型の透孔１９が開設されると共に、内面４７ａにおける透孔１９の周囲に前記雄型の貼り合わせファスナー１８ａと係脱自在に係合する固定手段として複数の雌型の貼り合わせファスナー１８ｂが設けられている。両襠板部４３，４３と蓋板部４７の下部の外面４７ｂには、高周波ウェルダーにより肉盛りされた所定形状の装飾部２７が設けられている。これは、デザインの向上を図り商品価値を高めるためである。
【００１９】
本発明に係るランドセルＡは上記構成からなり、発光ユニット１を蓋板部４７の内側に配置し、雄・雌型の貼り合わせファスナー１８ａ，１８ｂを互いに対向位置させ押し付けて係合させると共に前記隆起部１０を前記透孔１９に合致させて嵌める。これにより、発光ユニット１がランドセルＡの蓋板部４７の内面４７ａに着脱自在に取着される。そこで、児童がこのランドセルＡを背負って歩行するとき、例えば道路を横断するとき、発光ユニット１に振動が伝わる。そして、その振動により振動スイッチ５が作動し、該振動スイッチ５の信号を制御回路部６が受けてそれぞれのＬＥＤ４を一定時間の間点灯または点滅させる。この動作は、前記振動スイッチ５内の両接点が接触する度に繰り返される。これによって、隆起部１０が点灯または点滅して目立ち、周囲が暗く視界の見え難い夕暮れ時や夜間であっても自動車を運転しているドライバーは点灯または点滅する光を容易に視認することができる。
【００２０】
ランドセルＡを長期に亘り使用し、例えば電池７が消耗したりＬＥＤ４が破損して発光ユニット１が使用できなくなった場合は、雄・雌型の貼り合わせファスナー１８ａ，１８ｂの係合を解いてランドセルＡから発光ユニット１を取り外して新しいものと交換する。この場合、ケース部材３が開閉自在に設けられていることから、回路基板２やＬＥＤ４といった電子部品のみを交換することができる。また、電池７は回路基板２に交換自在に取着されているので、例えば消耗した電池７のみを新しいものと交換することもできる。このようにすれば、例えばランドセルＡに発光ユニット１が取り外し不能に取着されている場合に比べ経済的である。
【００２１】
図８（イ）（ロ）は隆起部の形状の異なる発光ユニットを取着したランドセルの斜視図を示すものであり、図８（イ）に示すものは正面から見た隆起部１０ａと透孔１９ａとが共に星型に形成されている。また、図８（ロ）に示すものは、正面から見た隆起部１０ｂと透孔１９ｂとが横長の棒型に形成されている。これらはほんの一例であって、他に正面から見た隆起部がハート型、複数の円形状の隆起部を横に並べた形など所望の形状が選択できる。回路基板２の表面に配置される複数のＬＥＤ４は発光色が総て同じ色である必要はなく、異なる色の組合せであっても良い。この方がドライバーの注意を良く引き、視認性が一層高められる。
【００２２】
また、図９（イ）（ロ）は発光ユニットの別の固定手段を示す蓋板部部位の分解斜視図を示すものである。図９（イ）はカバー８の前面８ａであって隆起部１０を除いたその周囲に固定手段として表面がＮ極であるマグネット板２０ａを貼着し、蓋板部４７の内面４７ａにはこれと対応位置して該マグネット板２０ａのＮ極面と対向し固定手段として表面がＳ極であるマグネット板２０ｂを貼着したものである。蓋板部４７の内面４７ａに重ね生地５７が貼着してある場合は、その内側に表面がＳ極であるマグネット板２０ｂを配置するようにすれば、蓋板部４７の内面４７ａにマグネット板２０ｂが直接露出しないので見栄えが良い。このように、表面がＮ・Ｓ極のマグネット板２０ａ，２０ｂを互いに磁着して蓋板部４７の内面４７ａに発光ユニット１を着脱自在に取着しても良い。
【００２３】
図９（ロ）は、蓋板部４７の内面４７ａの下端部に発光ユニット１と略同じ大きさであって上端面が開放する固定手段としてのポケット部２１を縫着することにより形成したものである。該ポケット部２１は軟質樹脂であるシリコン樹脂により成形され、発光ユニット１をその上端の挿入口２２からポケット部２１に挿入して取着するようにしている。ポケット部２１内であって蓋板部４７と対向する内面には、滑り止め用として凹凸形状となるエンボス加工を施すことが好ましい。これは、蓋板部４７によりランドセル本体４０の開口４１を開閉する際に、挿入された発光ユニット１がポケット部２１から誤って抜け落ちないようにするためである。これらは固定手段のほんの一例であって、他に発光ユニット１が着脱自在に取着される固定手段であれば他の手段を用いても良い。
【００２４】
次に、図１０乃至図１４は、他の実施の形態に係る発光ユニットを使用したランドセルを示すものである。なお、他の実施の形態に係る発光ユニット１ａは本実施の形態に係る発光ユニット１と構成が似ているので、同一部位は同一番号を付すことにより詳しい説明は省略する。図１０に示すように他の実施の形態に係る発光ユニット１ａが使用されるランドセルＡは、背板部４２の上端部から延設される蓋板部４７の先端部と掛止部４９が設けられる留めバンド４８とを固着する一対の鋲５１ａ，５１ａにそれぞれ発光体であるＬＥＤ２３，２３が嵌脱自在に取着されている。
【００２５】
すなわち、図１１乃至図１３に示すように他の実施の形態に係る発光ユニット１ａは、回路基板２から配線２４，２４がケース部材３の外側であって互いに左右反対方向へ所定の長さ引き出されている。引き出された各配線２４の先端には、発光体であるＬＥＤ２３が設けられている。詳しくは、各配線２４の先端に短円柱状の胴部２３ａが取着され、該胴部２３ａ先端に配線２４と導通するようにしてＬＥＤ２３が設けられている。この胴部２３ａの外径は、後記する鋲５１ａの中空部である通孔２５の内径とほぼ同じ寸法を有する。また、胴部２３ａの基端に通孔２５の内径よりも大径の基板２３ｂが一体に設けられている。
【００２６】
一方、各鋲５１ａには図１４に示すようにその中心軸線に沿って下端面５８ａが開放し前記胴部２３ａが嵌脱自在に嵌まる中空部としての通孔２５が開設されている。また、各鋲５１ａの上端頭部５８ｂには該通孔２５と連通する放射口５１ｂが開設されている。該放射口５１ｂの内径は通孔２５の内径よりも少し大きい。そして、該放射口５１ｂには後記するように通孔２５と接するようにして透光性の飾部材２６が嵌合して装着される。この飾部材２６は正面から見たとき星型に形成されているが、この形状に限られるものではなく、例えば円形、ひし形、三角形、六角形といった他の自由な形状が選択できる。また、上端頭部５８ｂは正面から見て楯のような形状をしているが、デザイン上選択されたものであって、この形状に限られるものではない。
【００２７】
そこで、各鋲５１ａの通孔２５に胴部２３ａを基板２３ｂが各鋲５１ａの下端面５８ａに当接するまで嵌入する。この状態では、各鋲５１ａの上端頭部５８ｂ側にＬＥＤ２３が位置している。そして、ＬＥＤ２３の光は放射口５１ｂすなわち飾部材２６を介して外部へ放射される。これらＬＥＤ２３，２３が点灯または点滅する態様は、前記回路基板２に取着された各ＬＥＤ４と調和が保たれるようにして選定される。このように、各鋲５１ａ内でＬＥＤ２３が点灯または点滅することにより各飾部材２６が点灯または点滅し、これを外部から視認することができる。
【００２８】
他の実施の形態に係る発光ユニット１ａを使用したランドセルＡにあっても、児童がランドセルＡを背負って歩行するとき、発光ユニット１ａに振動が伝わりその振動により振動スイッチ５が作動し、該振動スイッチ５の信号を制御回路部６が受けて発光ユニット１ａ内のＬＥＤ４及び各配線２４先端のＬＥＤ２３が共に一定時間の間点灯または点滅する。この場合も、この動作は前記振動スイッチ５内の両接点が接触する度に繰り返される。これにより、発光ユニット１ａの隆起部１０と該発光ユニット１ａの両側に位置する各飾部材２６とが一緒に点灯または点滅することになるから、派手やかさがあってデザイン的に優れる。
【００２９】
回路基板２に設けられたＬＥＤ４または各鋲５１ａ内のＬＥＤ２３、制御回路部６等の電子部品が破損して回路基板２を新しいものと交換する場合や、電池７が消耗してその交換を必要とする場合は、蓋板部４７の内面４７ａ側から各鋲５１ａの各ＬＥＤ２３を抜く。また、発光ユニット１ａにおけるカバー８の前面８ａと蓋板部４７の内面４７ａとに設けられた雄・雌型貼り合わせファスナー１８ａ，１８ｂの係合を解く。これにより、発光ユニット１ａがランドセルＡから取り外せ、その交換が容易に行なえる。また、この場合も、ケース部材３を開き回路基板２を各配線２４の先端に設けられたＬＥＤ２３と共に新しいものと交換したり、ＬＥＤ４、電池７等の電子部品のみを交換できる。
【００３０】
交換後は、再び前記発光ユニット１ａにおけるカバー８の前面８ａと蓋板部４７の内面４７ａとに設けられた雄・雌型貼り合わせファスナー１８ａ，１８ｂを係合させる。また、各配線２４の先端に設けられたＬＥＤ２３を蓋板部４７における各鋲５１ａに嵌める。これにより、すべて正常に動作し、振動によって振動スイッチ５が作動することにより発光ユニット１ａ内の各発光体４と鋲５１ａ内のＬＥＤ２３が共に点灯または点滅するようになる。
【００３１】
他の実施の形態に係る発光ユニット１ａを使用したランドセルＡにおいても、本発明に係るランドセルＡと同様に例えば図８（イ）（ロ）に示されるような異なる形状の隆起部１０ａ，１０ｂを選択することができ、また、発光ユニット１ａの固定手段にあっても、図９（イ）（ロ）に示されるように発光ユニット１ａと蓋板部４７とに互いに吸着するマグネットを使用したり、蓋板部４７に発光ユニット１ａを収納するポケット部を形成するなど種々の固定手段を用いても良いことは勿論である。
【００３２】
なお、上述の実施の形態では、発光体をＬＥＤとして説明したが、該発光体を通常の電球としてもよいことは勿論である。
【符号の説明】
【００３３】
１                  発光ユニット
１ａ                発光ユニット
３                  ケース部材
４                  発光体（ＬＥＤ）
５                  振動スイッチ
６                  制御回路部
７                  電池
１８ａ              固定手段（雄型の貼り合わせファスナー）
１８ｂ              固定手段（雌型の貼り合わせファスナー）
１９                透孔
１９ａ              透孔
１９ｂ              透孔
２３                発光体（ＬＥＤ）
２４                配線
２５                通孔
４１                開口
４２                背板部
４３                襠板部
４４                底板部
４５                前側板部
４７                蓋板部
４７ａ              内面
４８                留めバンド
４９                掛止具
５１                鋲
５１ａ              鋲
５１ｂ              放射口
５８ｂ              上端頭部
Ａ                  ランドセル
ａ                  透光性領域
【図１】
2013042897.tif 000003
【図２】
2013042897.tif 000004
【図３】
2013042897.tif 000005
【図４】
2013042897.tif 000006
【図５】
2013042897.tif 000007
【図６】
2013042897.tif 000008
【図７】
2013042897.tif 000009
【図８】
2013042897.tif 000010
【図９】
2013042897.tif 000011
【図１０】
2013042897.tif 000012
【図１１】
2013042897.tif 000013
【図１２】
2013042897.tif 000014
【図１３】
2013042897.tif 000015
【図１４】
2013042897.tif 000016